(57)【要約】      （修正有）【課題】津波／水害に遭遇した時に、避難者に救命措置をし、しかも搭乗し避難する過程において本体が転がることがなく、避難者に不安感及びケガなどの危険を与えることがない、津波／水害救命キャビンを提供する。【解決手段】キャビン１０、キャビン蓋２０、乗車台３０を備え、外部のソフトブロック４０の抗衝撃表面、及び衝撃緩和表面の耐物衝撃及び耐水衝撃の作用を利用し、加えて、キャビン１０下部のおもり部１３は、転がった後のもとに戻そうとする復元作用を生じさせ、キャビン蓋２０上の通気装置２３は、通気状態を常に維持し、乗車台３０の加重部３３により、台体３１は常に重心を下向きに保ち、ローリングボール３２は、キャビン１０の滑らかな内弧状面１２上において、転がる形式で接触し、球形キャビンが転がる時には、乗車台３０には、過度に転がるという状況は発生しない。【選択図】図１
0003176355.tif 000002
【実用新案登録請求の範囲】
【請求項１】
津波／水害救命キャビンは、中空半球形のキャビン、中空半球形のキャビン蓋、乗車台を備え、
前記キャビンは、キャビン壁内部に、滑らかな内弧状面により、搭乗空間を形成し、前記キャビン壁外部には、多数のソフトブロックを碁盤の目状に並べ、抗衝撃性を備える表面を形成し、しかも前記キャビン壁下部には、おもり部を備え、上端には、１個以上の固定部を備え、ヒンジとキャビン蓋の蓋壁下端により、可動状態で連接し、
前記キャビン蓋は、蓋壁内部に、滑らかな内弧状面により、可動空間を形成し、前記蓋壁外部には、多数のソフトブロックを碁盤の目状に並べ、衝撃緩和力を備える表面を形成し、しかも前記蓋壁上にはさらに、１個以上の通気装置を設置し、これにより可動空間は外界と通気することができ、前記蓋壁下端には、前記キャビンの各固定具に対応し、１個以上の固定ロックを備え、
前記乗車台は、前記キャビンの搭乗空間内に設置し、半球形に近い台体を備え、前記台体内は、避難者搭乗空間として使用し、しかも前記台体上では、多数のローリングボールが、前記キャビンの滑らかな内弧状面と接触し、避難者が着席する空間の底部には、加重部を設置し、これにより前記乗車台の台体全体の重心は、常に中心底部に位置することを特徴とする津波／水害救命キャビン。
【請求項２】
前記キャビンのキャビン壁下部には、おもり部を備え、
前記キャビン壁は、滑らかな内弧状面の内壁、及び外部に多数のソフトブロックを碁盤の目状に排列する外壁により構成し、
しかも、前記内壁と前記外壁間の底部には、金属板をおもり部として設置し、減量ギャップ部を形成し、
前記ギャップ部内には、骨格棒を設置し、壁面強化に用いることを特徴とする請求項１に記載の津波／水害救命キャビン。
【請求項３】
前記キャビンのキャビン壁上端には、１個以上の固定具を設置し、
前記キャビン蓋の蓋壁下端には、前記各固定具に相対し、１個以上の固定ロックを設置し、
前記固定具は、前記固定台上に、固定ハンドルを可動状に設置し、前記固定ハンドルの可動設置部側辺には、固定フックを偏心可動状に設置し、
前記固定ロックは、ロック台上にロック棒を設置することを特徴とする請求項１に記載の津波／水害救命キャビン。
【請求項４】
前記キャビン蓋の蓋壁は、多数の骨棒により、内外に内壁層と外壁層を設置し、中空の蓋壁体を構成することを特徴とする請求項１に記載の津波／水害救命キャビン。
【請求項５】
前記キャビン蓋の蓋壁の内壁層と外壁層は共に、抗衝撃性能を備える透明の高分子プラスチック材料により構成することを特徴とする請求項４に記載の津波／水害救命キャビン。
【請求項６】
前記キャビン蓋の蓋壁外部には、碁盤の目状に排列する緩衝作用を備える多数のソフトブロックを設置し、
前記多数のソフトブロックは、目に鮮やかな色を持つソフトブロックであることを特徴とする請求項１に記載の津波／水害救命キャビン。
【請求項７】
前記鮮やかな色を持つソフトブロックは、排列により図形、或いは文字を表現し、対外的に救援要請情報を発信することもできることを特徴とする請求項６に記載の津波／水害救命キャビン。
【請求項８】
前記キャビン蓋の蓋壁上には、通気装置を設置し、
前記通気装置は、可動空間と外界とをつなげる通気管の外部に、遮水蓋を設置して構成し、しかも前記通気管上部の遮水蓋下縁には、１個以上の通気孔を備えることを特徴とする請求項１に記載の津波／水害救命キャビン。
【請求項９】
前記乗車台の台体内の避難者搭乗空間底部には、加重部を設置し、
前記台体は、内部に、多数のローリングボール台を備える中空壁体であることを特徴とする請求項１に記載の津波／水害救命キャビン。
【請求項１０】
前記乗車台の台体の、避難者搭乗空間にはさらに、１脚以上の座席を設置することを特徴とする請求項１に記載の津波／水害救命キャビン。
【請求項１１】
前記座席は重心が中心に向かう寝椅子の形態で、しかも前記座席上には、シートベルトを備えることを特徴とする請求項１０に記載の津波／水害救命キャビン。
【考案の詳細な説明】
【技術分野】
【０００１】
本考案は津波／水害救命キャビンに関し、津波／水害に遭遇した時に、避難者に救命措置を提供し、しかも搭乗し避難する過程において本体が転覆することがないため、避難者に不安感や危険を与えることがない津波／水害救命キャビンに関する。
【背景技術】
【０００２】
近年、地震が原因の津波、或いは大雨が引き起こす水害が世界中で発生し、多くの尊い生命を奪っている。津波／水害が襲った地区では、高台、或いは水が及ばない地区への避難が間に合わなかった人々に深刻な被害が及んでいる。それは、安全状況を満たした救難設備、或いは装置が全く存在しないことが、主因である。浮遊物利用、救命胴衣着用、浮き輪使用、泳ぐ、ゴムボートに乗るなどは、津波／大規模な水害では、人的被害を抑えるには効果が低いことは明らかである。特に、津波が陸地に押し寄せた際の激しい濁流は、各種浮遊物を巻き込み巨大な破壊力を持つ。人が水に落ちてしまえば、さまざまな物体の衝突を受け、ほとんどの場合意識を失ってしまい、無事であることはまず難しいといわざるを得ない。
よって、津波／水害に襲われたなら、避難する際の救命設備、或いは装置は、避難者の意識を覚醒させ続け、及び水流中物体の衝撃から身体を保護できることが必要である。
しかも、設備、或いは装置そのものが、外力の衝撃に対して抵抗力を備え、また衝撃力を吸収緩和する能力を備えている必要がある。
救命設備、或いは装置そのものが、外力により破壊されにくく、避難者の意識を良好に維持しつつ、外力による傷害を防ぐことができるプロテクト機能を備えるなら、救命、救難の機会を大幅に高めることができる。
本考案は、従来の津波／水害救命キャビンの上記した欠点に鑑みてなされたものである。
【考案の概要】
【考案が解決しようとする課題】
【０００３】
本考案が解決しようとする第一の課題は、中空半球形のキャビン、中空半球形のキャビン蓋、乗車台を備え、キャビンはキャビン壁内部に、滑らかな内弧状面により、搭乗空間を形成し、キャビン壁外部には多数のソフトブロックを碁盤の目状に並べ、抗衝撃性を備える表面を形成し、しかもキャビン壁下部にはおもり部を備え、上端には１個以上の固定部を備え、ヒンジとキャビン蓋の蓋壁下端により、可動状態で連接し、キャビン蓋は蓋壁内部に、滑らかな内弧状面により、可動空間を形成し、蓋壁外部には多数のソフトブロックを碁盤の目状に並べ、衝撃緩和力を備える表面を形成し、しかも蓋壁上にはさらに１個以上の通気装置を設置し、これにより可動空間は外界と通気することができ、蓋壁下端には、キャビンの各固定具に対応し、１個以上の固定ロックを備え、乗車台は、キャビンの搭乗空間内に設置し、半球形に近い台体を備え、台体内は、避難者搭乗空間として使用し、しかも台体上では、多数のローリングボールが、キャビンの滑らかな内弧状面と接触し、避難者が着席する空間の底部には、加重部を設置し、これにより乗車台の台体全体の重心は、常に中心底部に位置し、こうして津波／水害が襲う前に、避難者はキャビン蓋を開け、乗車台に進入し、固定具と固定ロックの固定ロック操作を利用し、キャビン蓋とキャビンを固定し、水面上に浮かぶ球状の救命キャビンを形成することができ、キャビン、及びキャビン蓋外部のソフトブロックの抗衝撃表面、及び衝撃緩和表面の耐物衝撃及び耐水衝撃の作用を利用し、さらに、球状のキャビンは水面を浮動する際に、障害物に遭遇しても、転がる方式で避けることができ、加えて、キャビン下部のおもり部は、転がった後の救難キャビンに対して、随時、元に戻す動作を生じるため、キャビン蓋上の通気装置は、外界と正常な通気状態を常に維持することができ、こうして、球体キャビン内に搭乗する避難者は、津波、或いは水害に遭遇しても、比較的安全な条件の下避難し、救援を待つことができ、しかも、乗車台の加重部により、台体は常に重心を下向きに、水面と垂直を保ち、台体上のローリングボールは、キャビンの滑らかな内弧状面上において、転がる形式で接触し、球形キャビンが転がる時には、乗車台の転がり作用を、同時に連動することはないため、乗車台には、過度に転がるという現象、或いは状況は発生せず、そのため、避難者が感じる不安感及び危険を低下させることができる津波／水害救命キャビンを提供することである。
本考案が解決しようとする第二の課題は、キャビンのキャビン壁下部には、おもり部を備え、キャビン壁は、滑らかな内弧状面の内壁、及び外部に多数のソフトブロックを碁盤の目状に排列する外壁により構成し、しかも、内壁と外壁間の底部には、金属板をおもり部として設置し、減量ギャップ部を形成し、ギャップ部内には、骨格棒を設置し、壁面強化に用い、キャビンは底部がより重く、上部がより軽い構造であるため、キャビンにキャビン蓋を被せた後は、おもり部が水中に入る形態で、水面上に浮遊することができ、外物が衝突して転がったとしても、おもり部により、水中に底部が入る状態を自然に回復し、これにより、キャビン蓋は随時もとの位置を回復しキャビン上部の封鎖を保持し、こうして、通気装置の通気機能は正常に維持される、津波／水害救命キャビンを提供することである。
本考案が解決しようとする第三の課題は、キャビンのキャビン壁上端には、１個以上の固定具を設置し、キャビン蓋の蓋壁下端には、各固定具に相対し、１個以上の固定ロックを設置し、固定具は、固定台上に、固定ハンドルを可動状に設置し、固定ハンドルの可動設置部側辺には、固定フックを偏心可動状に設置し、固定ロックは、ロック台上にロック棒を設置し、固定ハンドルを下方へと動かす操作を行い、固定フックを引き動かし、固定ロックのロック棒上に掛け、下方へと動かしロックする動作を生じ、こうして、キャビン蓋を、キャビン上端に緊密に固定する封鎖効果を達成し、しかも、固定ハンドルを上方へと動かすことで、固定フックの固定ロックのロック棒へのロックを簡単に解除することができる津波／水害救命キャビンを提供することである。
本考案が解決しようとする第四の課題は、キャビン蓋の蓋壁は、多数の骨棒により、内外に内壁層と外壁層を設置し、中空の蓋壁体を構成し、中空の蓋壁により、キャビン蓋全体は重量を軽減することができ、これによりキャビン蓋をキャビン上に固定した時にも、キャビン底部おもり部の正常な重量配置機能に影響を及ぼすことはなく、しかも、キャビン蓋の蓋壁の内壁層と外壁層は共に、抗衝撃性能を備える透明の高分子プラスチック材料により構成するため、キャビン蓋内から、外界の状況を透視することができ、避難者の精神を落ち着かせる効果を備える津波／水害救命キャビンを提供することである。
本考案が解決しようとする第五の課題は、キャビン蓋の蓋壁外部には、碁盤の目状に排列する緩衝作用を備える多数のソフトブロックを設置し、多数のソフトブロックは、目に鮮やかな色を持つソフトブロックで、そのため、球形の避難キャビンに搭乗し救援を待つ際にも、ソフトブロックの鮮やかな色で、発見されやすいという利点があり、しかも、鮮やかな色を持つソフトブロックは、排列により図形、或いは文字を表現し、対外的に救援要請情報を発信することもできる津波／水害救命キャビンを提供することである。
本考案が解決しようとする第六の課題は、キャビン蓋の蓋壁上には、通気装置を設置し、通気装置は、可動空間と外界とをつなげる通気管の外部に、遮水蓋を設置して構成し、しかも通気管上部の遮水蓋下縁には、１個以上の通気孔を備え、遮水蓋により、外界の水が、通気管内に進入しないよう遮蔽し水のキャビン内への侵入を防止し、同時に、通気孔により、外界と通じるキャビン内に酸素を供給する効果を備える津波／水害救命キャビンを提供することである。
本考案が解決しようとする第七の課題は、乗車台の台体内の避難者搭乗空間底部には、加重部を設置し、台体は、内部に、多数のローリングボール台を備える中空壁体で、台体が中空であるため軽量化でき、さらに、ローリングボール台に収納するローリングボールの転がり運動を通して、加重部の、台体底部における加重効果はより明らかとなり、こうして、台体の重心を恒常的に下向きに保ち、ローリングボールが転がる作用により、キャビンが転がっても、乗車台を連動することがなく、そのため、キャビン内の乗車台に着席する避難者が、転倒するような状況は発生しない津波／水害救命キャビンを提供することである。
本考案が解決しようとする第八の課題は、乗車台の台体の、避難者搭乗空間にはさらに、１脚以上の座席を設置し、これにより、座席に避難者は着席することができ、キャビン内での避難者の快適性を向上させることができ、また、座席は重心が中心に向かう寝椅子の形態で、しかも、座席上には、シートベルトを備えるため、避難者はほとんど横になった状態で、座席上にシートベルトで身体を固定し、搭乗時の安全性を高めることができる津波／水害救命キャビンを提供することである。
【課題を解決するための手段】
【０００４】
上記課題を解決するため、本考案は下記の津波／水害救命キャビンを提供する。
【考案の効果】
【０００５】
本考案の津波／水害救命キャビンは、津波／水害に遭遇した時に、避難者に救命措置を提供し、しかも搭乗し避難する過程において本体が転がることがないため、避難者に不安感及びケガなどの危険を与えることがない。
【図面の簡単な説明】
【０００６】
【図１】本考案キャビンのキャビン蓋を開けた状態を示す構造模式図である。
【図２】本考案キャビンのキャビン蓋を閉めた状態を示す構造模式図である。
【図３】本考案においてキャビン及びキャビン蓋外部のソフトブロックの外観立体模式図である。
【図４】本考案が津波／水害に遭遇した際の状態を示す模式図(一)である。
【図５】本考案が津波／水害に遭遇した際の状態を示す模式図(二)である。
【図６】本考案においてキャビン上の固定具とキャビン蓋上の固定ロックの構造模式図である。
【図７】本考案においてキャビン上の固定具とキャビン蓋上の固定ロックをロック固定時の構造模式図である。
【図８】本考案キャビン上の通気装置の構造模式図である。
【考案を実施するための形態】
【０００７】
以下に図面を参照しながら本考案を実施するための最良の形態について詳細に説明する。
【実施例】
【０００８】
図１、２、３に示すように、津波／水害救命キャビンは、中空半球形のキャビン１０、中空半球形のキャビン蓋２０、乗車台３０を備える。キャビン１０は、キャビン壁１１内部に、滑らかな内弧状面１２により、搭乗空間を形成する。キャビン壁１１外部には、多数のソフトブロック４０を碁盤の目状に並べ、抗衝撃性を備える表面を形成する。しかも、キャビン壁１１下部には、おもり部１３を備える。上端には、１個以上の固定部１４を備え、ヒンジ１５とキャビン蓋２０の蓋壁２１下端により、可動状態で連接する。キャビン蓋２０は蓋壁２１内部に、滑らかな内弧状面２２により、可動空間を形成する。蓋壁２１外部には、多数のソフトブロック４０を碁盤の目状に並べ、衝撃緩和力を備える表面を形成する。しかも、蓋壁２１上にはさらに、１個以上の通気装置２３を設置する。これにより、可動空間は外界と通気することができる。蓋壁２１下端には、キャビン１０の各固定具１４に対応し、１個以上の固定ロック２４を備える。乗車台３０は、キャビン１０の搭乗空間内に設置し、半球形に近い台体３１を備える。台体３１内は、避難者搭乗空間として使用する。しかも、台体３１上では、多数のローリングボール３２が、キャビン１０の滑らかな内弧状面１２と接触する。避難者が着席する空間の底部には、重金属の加重部３３を設置する。これにより、乗車台３０の台体３１全体の重心は、常に中心底部に位置する。こうして、津波／水害が襲う前に、避難者はキャビン蓋２０を開け、乗車台３０に進入し、固定具１４と固定ロック２４の固定ロック操作を利用し、キャビン蓋２０とキャビン１０を固定し、水面上に浮かぶ球状の津波／水害救命キャビンを形成することができる。図４、５に示すように、津波／水害時には、キャビン１０、及びキャビン蓋２０外部のソフトブロック４０の抗衝撃表面、及び衝撃緩和表面の耐物衝撃及び耐水衝撃の作用を利用する。さらに、球状のキャビンは水面を浮動する際に、障害物に遭遇しても、転がる方式で避けることができる。加えて、キャビン１０下部のおもり部１３は、転がった後の救難キャビンに対して、随時、元に戻す動作を生じるため、キャビン蓋２０上の通気装置２３は、外界と正常な通気状態を常に維持することができる。こうして、球体キャビン内に搭乗する避難者は、津波、或いは水害に遭遇しても、非常に安全な条件の下避難し、救援を待つことができる。しかも、乗車台３０の加重部３３により、台体３１は常に重心を下向きに、水面と垂直を保ち、台体３１上のローリングボール３２は、キャビン１０の滑らかな内弧状面１２上において、転がる形式で接触する。球形キャビンが転がる時には、乗車台３０の転がり作用を、同時に連動することはないため、乗車台３０には、過度に転がるという現象、或いは状況は発生しない。そのため、避難者が感じるであろう不安感およびケガなどの危険を低下させることができる。
【０００９】
上記した実施例に基づき、図１、２に示すように、キャビン１０のキャビン壁１１下部には、おもり部１３を備える。キャビン壁１１は、滑らかな内弧状面１２の内壁１１０、及び外部に多数のソフトブロック４０を碁盤の目状に排列する外壁１１１により構成する。しかも、内壁１１０と外壁１１１間の底部には、金属板をおもり部１３として設置し、減重空隙部１１２を形成する。空隙部１１２内には、骨格棒１１３を設置し、壁面強化に用いる。キャビン１０は底部がより重く、上部がより軽い構造であるため、キャビン１０にキャビン蓋２０を被せた後は、おもり部１３が水中に入る形態で、水面上に浮遊することができる。図４、５に示すように、外物(外力)が衝突して転がったとしても、おもり部１３により、水中に底部が入る状態を自然に回復する。これにより、キャビン蓋２０は随時もとの位置を回復し、キャビン１０上部への封鎖を保持する。こうして、通気装置２３の通気機能は、正常に維持される。
【００１０】
上記した実施例に基づき、図１、２に示すように、キャビン１０のキャビン壁１１上端には、１個以上の固定具１４を設置する。キャビン蓋２０の蓋壁２１下端には、各固定具１４に相対し、１個以上の固定ロック２４を設置する。固定具１４は、図６、７に示すように、固定台１４０上に、固定ハンドル１４１を可動状に設置する。固定ハンドル１４１の可動設置部側辺には、固定フック１４２を偏心可動状に設置する。固定ロック２４は、ロック台２４０上にロック棒２４１を設置する。これにより、固定ハンドル１４１を下方へと動かす操作を行い、固定フック１４２を偏心引き動かし、固定ロック２４のロック棒２４１上に掛け、下方へと動かしロックする動作を生じる(図２、７参照)。こうして、キャビン蓋２０を、キャビン１０上端に緊密に固定する封鎖効果を達成する(図１、６参照)。しかも、固定ハンドル１４１を上方へと動かすことで、固定フック１４２の固定ロックのロック棒２４１へのロックを簡単に解除することができる。
【００１１】
上記した実施例に基づき、図１、２に示すように、キャビン蓋２０の蓋壁２１は、多数の骨棒２１０により、内外に内壁層２１１と外壁層２１２を設置し、中空の蓋壁２１体を構成する。中空の蓋壁２１により、キャビン蓋２０全体は重量を軽減することができ、これによりキャビン蓋２０をキャビン１０上に固定した時にも、キャビン１０底部おもり部１３の正常な重量配置機能に影響を及ぼすことはない。しかも、キャビン蓋２０の蓋壁２１の内壁層２１１と外壁層２１２は共に、抗衝撃性能を備える透明の高分子プラスチック材料により構成するため、キャビン蓋２０内から、外界の状況を透視することができ、避難者の精神を落ち着かせる効果を備える。
【００１２】
上記した実施例に基づき、図１、２、３に示すように、キャビン蓋２０の蓋壁２１外部には、碁盤の目状に排列する緩衝作用を備える多数のソフトブロック４０を設置する。多数のソフトブロック４０は、目に鮮やかな色を持つ。そのため、球形の避難キャビンに搭乗し救援を待つ際にも、ソフトブロック４０の鮮やかな色で、遠方からでも発見されやすいという利点がある。しかも、鮮やかな色を持つソフトブロック４０は、排列により図形、或いは文字を表現し、対外的に救援要請情報を発信することもできる。
【００１３】
上記した実施例に基づき、図１、２に示すように、キャビン蓋２０の蓋壁２１上には、通気装置２３を設置する。図８に示すように、通気装置２３は、可動空間と外界とをつなげる通気管２３０の外部に、遮水蓋２３１を設置して構成する。しかも、通気管２３０上部の遮水蓋２３１下縁には、１個以上の通気孔２３２を備える。遮水蓋２３１により、外界の水が、通気管２３０内に進入しないよう遮蔽し水のキャビン内への侵入を防止し、同時に、通気孔２３２により、外界と通じるキャビン内に酸素を供給する効果を備える。
【００１４】
上記した実施例に基づき、図１、２に示すように、乗車台３０の台体３１内の避難者搭乗空間底部には、加重部３３を設置する。台体３１は、内部に、多数のローリングボール台３１０を備える中空壁体である。台体３１が中空であるため軽量化できる。さらに、ローリングボール台３１０に収納するローリングボール３２の転がり運動を通して、加重部３３の、台体３１底部における加重効果はより明らかとなる。こうして、台体３１の重心を恒常的に下向きに保ち、ローリングボール３２が転がる作用により、図４、５に示すように、キャビン１０が転がっても、乗車台３０を連動することがない。そのため、キャビン内の乗車台３０に着席する避難者が、転倒するような状況は発生しない。
【００１５】
上記した実施例に基づき、図１、２に示すように、乗車台３０の台体３１の、避難者搭乗空間にはさらに、１脚以上の座席３４を設置する。これにより、座席３４に避難者は着席することができ、キャビン内での避難者の快適性を向上させることができる。また、座席３４は重心が中心に向かう寝椅子の形態である。しかも、座席３４上には、シートベルト(図示なし)を備えるため、避難者はほとんど横になった状態で、座席３４上にシートベルトで身体を固定し、搭乗時の安全性を高めることができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１０    キャビン
１１    キャビン壁
１１０  内壁
１１１  外壁
１１２  空隙部
１１３  骨格棒
１２    滑らかな内弧状面
１３    おもり部
１４    固定具
１４０  固定台
１４１  固定ハンドル
１４２  固定フック
１５    ヒンジ
２０    キャビン蓋
２１    蓋壁
２１０  骨棒
２１１  内壁層
２１２  外壁層
２２    滑らかな内弧状面
２３    通気装置
２３０  通気管
２３１  遮水蓋
２３２  通気孔
２４    固定ロック
２４０  ロック台
２４１  ロック棒
３０    乗車台
３１    台体
３１０  ローリングボール台
３２    ローリングボール
３３    加重部
３４    座席
４０    ソフトブロック
【図１】
0003176355.tif 000003
【図２】
0003176355.tif 000004
【図３】
0003176355.tif 000005
【図４】
0003176355.tif 000006
【図５】
0003176355.tif 000007
【図６】
0003176355.tif 000008
【図７】
0003176355.tif 000009
【図８】
0003176355.tif 000010